【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
毛細管システムにおいて勾配組成を形成するための装置であって、
第１のポンプと、第１のセンサ流路とを有し、第１のポンプは第１の分流器と流体連絡し、前記第１の分流器は第１の制限機構流路に動作可能に配置された第１の制限機構と流体連絡し、前記センサ流路内には、第１のセンサが動作可能に配置され、前記第１のセンサは、前記第１のセンサ流路内の前記液体の流量を測定して、第１の流量信号をもたらすように構成され、前記第１の制限機構は第１の流量をもたらす選択された透過率を有する、第１の流路と、
第２のポンプと、第２のセンサ流路とを有し、第２のポンプは第２の分流器と流体連絡し、前記第１の分流器は第２の制限機構流路に動作可能に配置された第２の制限機構と流体連絡し、前記第２のセンサ流路には、第２のセンサが動作可能に配置され、前記第２のセンサは、前記第２のセンサ流路内の前記液体の流量を測定して、第２の流量信号をもたらすように構成され、前記第２の制限機構は第２の流量をもたらす選択された透過率を有する、第２の流路と、
第１のセンサ流路内、および第２のセンサ流路内の流量を制御するための手段とを含む装置。
【請求項２】
前記毛細管システムは、毎分約５０ｎＬないし毎分約１００μＬの範囲内の流量を有する高圧液体クロマトグラフィ（ＨＰＬＣ）システムを含む請求項１に記載の装置。
【請求項３】
前記センサは、熱タイプの流量センサである請求項１に記載の装置。
【請求項４】
前記熱タイプの流量センサは、
流路に熱を導入するための手段と、
前記導入するための手段の上流および下流で前記流路内の液体の温度を測定するための手段と、
前記熱の導入に応答して、前記導入するための手段の下流で測定された温度変化と比較された、前記導入するための手段の上流で測定された温度変化に従って、前記流路内の液体の体積流量を計算するための手段とを含む請求項３に記載の装置。
【請求項５】
前記センサは、圧力タイプの流量センサである請求項１に記載の装置。
【請求項６】
前記圧力タイプの流量センサは、
流路に配置された制限手段と、
前記制限手段の上流と下流で流体圧を測定するための手段と、
前記制限手段の上流で測定された圧力と、前記制限手段の下流で測定された圧力の差に従って、前記流路内の液体の体積流量を計算するための手段とを含む請求項５に記載の装置。
【請求項７】
制御するための前記手段は、前記センサから前記第１の流量信号および前記第２の流量信号を受け取り、前記流量信号に応答して、前記センサ流路内の液体流量を調整するように構成されたコントローラを含む請求項１に記載のシステム。
【請求項８】
前記第１の流量制限機構および前記第２の流量制限機構は、前記制限機構流路の透過率を変えることにより、前記第１のセンサ流路内、および前記第２のセンサ流路内の前記液体流量を調整するように構成された前記コントローラからの信号に応答する請求項７に記載のシステム。
【請求項９】
第１のポンプおよび第２のポンプは、前記第１のポンプおよび前記第２のポンプの出力圧力を変えることにより、前記第１のセンサ流路内、および前記第２のセンサ流路内の前記液体流量を調整する前記コントローラからの信号に応答する請求項１に記載のシステム。
【請求項１０】
高圧液体クロマトグラフィ（ＨＰＬＣ）システムにおいて液体のナノスケールの流量をもたらすための方法であって、
第１の流路を、第１の分流器を使用して第１のセンサ流路と第１の制限流路に分け、前記第１の制限流路は、制限のための手段を有すること、
第２の流路を、第２の分流器を使用して第２のセンサ流路と第２の制限流路に分け、前記第２の制限流路は、制限のための手段を有すること、
第１のセンサ流路内の第１の流量を測定すること、
第２のセンサ流路内の第２の流量を測定すること、
前記第１のセンサ流路内、および前記第２のセンサ流路内の流量を調整することを含む方法。
【請求項１１】
前記第１のセンサ流路内、および前記第２のセンサ流路内の前記調整された流量は、選択された第１の制限要素および第２の制限要素を使用することをさらに含む請求項１０に記載の方法。
【請求項１２】
第１のポンプおよび第２のポンプの出力を調整することにより、前記第１のセンサ流路内、および前記第２のセンサ流路内の液体流量を調整することをさらに含む請求項１０に記載の方法。
【請求項１３】
前記第１の制限機構流路および前記第２の制限機構流路に可変制限機構を配置することをさらに含み、前記第１のセンサ流路内、および前記第２のセンサ流路内の前記液体流量は、前記可変制限機構の透過率を変えることによって調整される請求項１１に記載の方法。
【請求項１４】
前記調整するステップは、前記第１のポンプおよび前記第２のポンプの出力流量を変えることおよび前記第１の制限要素および前記第２の制限要素の透過率を変えることによって、前記第１のセンサ流路内、および前記第２のセンサ流路内の液体流路を調整することを含む請求項１３に記載の方法。
【請求項１５】
毛細管システムにおいて液体の流量を測定するための装置であって、
第１の分流器および第２の分流器と、
前記第１の分流器に液体を運ぶ第１の流路と、
前記第２の分流器に液体を運ぶ第２の流路と、
前記第１の分流器から前記液体の第１の分量を運ぶ第１の圧力流路と、
前記第２の分流器から前記液体の第１の分量を運ぶ第２の圧力流路と、
前記第１の分流器から前記液体の第２の分量を運ぶ第１の再循環流路と、
前記第２の分流器から前記液体の第２の分量を運ぶ第２の再循環流路と、
前記第１の圧力流路に動作可能に配置され、前記第１の圧力流路内の前記液体の圧力を測定して、第１の圧力流量信号をもたらすように構成され、第１の流量検出制限機構と流体連絡する第１の圧力トランスデューサと、
前記第２の圧力流路に動作可能に配置され、前記第２の圧力流路内の前記液体の圧力を測定して、第２の圧力流量信号をもたらすように構成され、第２の流量検出制限機構と流体連絡する第２の圧力トランスデューサと、
前記第１の流量検出制限機構および前記第２の流量検出制限機構と流体連絡する流体クロスと、
前記流体クロスと流体連絡し、前記流体クロスにおける圧力を測定して、流体クロス圧力信号をもたらすように構成された流体クロス圧力トランスデューサと、
前記第１の圧力流量信号および前記第２の圧力流量信号、および前記流体クロス圧力信号を受け取り、前記第１の圧力流量および前記第２の圧力流量を表す出力を提供するコントローラとを含む装置。
【請求項１６】
前記流体クロス圧力トランスデューサと流体連絡し、廃棄制限機構とさらに流体連絡し、前記コントローラと連絡するようになっている制御弁をさらに含む請求項１５に記載の装置。
【請求項１７】
前記廃棄制限機構は、前記流体クロス圧力トランスデューサを通る継続的な流れを可能にする請求項１６に記載の装置。
【請求項１８】
前記圧力トランスデューサおよび前記流量検出制限機構は、等温ブロック内部にさらに含まれる請求項１５に記載の装置。
【請求項１９】
前記毛細管システムは、毎分約１ｎＬないし毎分約１００μＬの範囲内の流量の圧力流路を有する高圧液体クロマトグラフィ（ＨＰＬＣ）システムを含む請求項１５に記載の装置。
【請求項２０】
高圧液体クロマトグラフィ（ＨＰＬＣ）システムにおいて液体のナノスケールの流量をもたらすための方法であって、
第１の流路を、第１の分流器を使用して第１の圧力流路と第１の制限流路に分けること、
第２の流路を、第２の分流器を使用して第２の圧力流路と第２の制限流路に分けること、
流体クロス圧力トランスデューサを有する流体クロスを提供すること、
前記第１の圧力流路内で第１の圧力を測定すること、
前記第２のセンサ圧力流路内で第２の圧力を測定すること、
前記流体クロス内で第３の圧力を測定すること、
前記測定値に応答して前記第１の圧力流路内、および前記第２の圧力流路内の流量を調整することを含む方法。
【請求項２１】
前記調整するステップは、前記第１の圧力測定値と前記第３の圧力測定値の間、および前記第２の圧力測定値と前記第３の圧力測定値の間における圧力測定差に比例して、前記第１の圧力流路内、および前記第２の圧力流路内の液体流量を調整することを含む請求項２０に記載の方法。